(57)【特許請求の範囲】
【請求項１】
ガードレールの支柱に巻付けるバンドと、このバンドを締付ける締付手段と、上記バンドに付設した支持体と、上記支持体に脚付立看板を付設する係合孔と、を備えた工事用脚付立看板の固定器において、上記締付手段は、バンドの片側に固設した雌ネジと、バンドの他端側に嵌合し且つ、雌ネジに螺合するボルトとからなり、上記ボルトの締付け回転によりバンドが支柱を締結するようになし、上記バンドの他端側に嵌合するボルトの頭部側に、ボルトの緩み回転によりバンドの他端側を押し開く拡開作用部を固設したことを特徴とする工事用脚付立看板の固定器。
【発明の詳細な説明】
【０００１】
【発明の属する技術分野】
本発明は、道路のガードレールの支柱に、簡便な取付手段にて仮設及び取外しでき、且つ、道路等からの振動伝達があっても緩まないようにした立看板の固定器に関するものである。
【０００２】
【従来の技術】
従来、ガードレールやガードレールの支柱等に仮設できるようにした道路工事等に使用される各種標識板の支持装置が多数提供されている。例えば、ガードレールやこの支柱に取付けるための取付金具として、締結用のバンドをネジ止め手段により固定し、この取付金具に標識板の支柱を差し込むようにしたものがある。
【０００３】
【発明が解決しようとする課題】
ガードレールの支柱等にネジの締付手段で標識板を仮設する支持装置においては、車の通る道路からの振動が伝達して大きな振動が発生し、ネジの緩み事故を多発している。更に、風や外力によって、標識板の向きが容易に変わったり、脱落してしまうという問題がある。
【０００４】
また、支柱への支持装置の取付けや取外し作業がネジの締結・緩め操作の煩雑さと相まって、締付バンドが強く支柱に巻付き、締付バンドを押し拡げないと取外し操作が困難となる問題がある。
【０００５】
本発明は、上記従来の標識板の支持装置に見られる問題点に鑑みて開発されたもので、道路からの振動等によっても締付手段が緩まず、また、ガードレールに簡便に取付け及び取外しできる工事用脚付立看板の固定器を提供することを目的とする。
【０００６】
【課題を解決するための手段】
上記目的を達成するべく、本発明の請求項１記載の工事用脚付立看板の固定器は、ガードレールの支柱に巻付けるバンドと、このバンドを締付ける締付手段と、上記バンドに付設した支持体と、上記支持体に脚付立看板を付設する係合孔と、を備えた工事用脚付立看板の固定器において、上記締付手段は、バンドの片側に固設した雌ネジと、バンドの他端側に嵌合し且つ、雌ネジに螺合するボルトとからなり、上記ボルトの締付け回転によりバンドが支柱を締結するようになし、上記バンドの他端側に嵌合するボルトの頭部側に、ボルトの緩み回転によりバンドの他端側を押し開く拡開作用部を固設したことを特徴とするものである。
【０００７】
上記請求項１記載の工事用脚付立看板の固定器によると、ガードレールの支柱へのバンドの締め付けは、先ず、支柱よりも大きな輪にしたバンドを支柱に嵌める。続いて、バンドの他端側に嵌合するボルトをバンドの片側に固設した雌ネジに螺合させる。このボルトの締付けには、ボルトとナットの両方を回すよりも３倍強い強力な締付けトルクを必要とする。これにより、ボルトも３倍以上の強力な緩めトルクを必要とし、振動等の外力では容易に緩まないことを意味する。
【０００８】
つまり、ボルトも雌ネジのナットも、回転可能として両方で締付ける公知方法だと、バンドの両端側が均等に撓んでボルトとナットとの締付力が均等に作用し、締め付け力は小さなものになる。これに対して、本発明のように、雌ネジのナットを片端側に固設した場合は、バンドと雌ねじが一体で変形できないので、ボルトによる締付時にボルトと雌ネジがこじられるようになり摩擦抵抗が増大する。したがって、ボルトを締付ける締付トルクは、バンドの他端側の大きな撓み抵抗により、ナットを回すよりも３倍以上の強力な締付トルクを必要とする。従って、ボルトを緩めるときも大きな回転トルクを必要とし、振動等の外力では容易に緩まない。
【０００９】
また、上記バンドの他端側に嵌合するボルトの頭部側に、ボルトの緩み回転によりバンドの他端側を押し開く拡開作用部を固設したので、支柱に締付けられた固定器に対し、緩め作業中に、ボルトの緩み回転により、バンドの他端側を押し開く拡開作用部がバンドを支柱の外周よりも大きな輪に押し拡げる。
【００１０】
これにより、固定器の支柱からの取外し作業が円滑且つ、容易になる。また、支柱への取付け作業も、既に支柱の外周よりも大きな輪に押し拡げられているバンドを簡便に支柱に嵌められ、バンドの取付けを簡潔にする。
【００１１】
【発明の実施の形態】
本発明の実施形態を図面により説明する。図１は実施形態となる工事用脚付立看板の固定器１００を示し、図３に示すように、道路Ｒの脇に配置したガードレールＧＬの支柱Ｐに対して、着脱出来るものである。
【００１２】
上記工事用脚付立看板４０の固定器１００は、図１，３に示すように、ガードレールＧＬの支柱Ｐに巻付けるバンド１１と、このバンド１１を締付ける締付手段２０と、上記バンド１１に付設した支持体１と、上記支持体１に脚付立看板４０の脚部４０Ａ，４０Ｂを嵌める２つの係合孔３，５と、を備えたものである。そして、上記締付手段２０は、バンド１１の片側１１Ａに固設した雌ネジ２３と、バンド１１の他端側１１Ｂにあけた通孔１１Ｃに嵌合し、且つ、雌ネジ２３に螺合するボルト２５とからなる。上記ボルト２５の締付け回転により、図３に示すように、バンド１１の輪が縮められて支柱Ｐを締結する。
【００１３】
上記固定器１００の詳細構成を図１，２，４により説明する。上記バンド１１は、その中腹部を支持体１の片側位置に、溶着又はネジ止め等の適宜手段により固設されている。図示においては、左右に外径の異なる支柱に適合するためのバンド１１，１１が対称的に固設されているが、少なくとも１つ備えておれば良い。また、バンド１１の内周面には、図２に示すように、ゴム・皮等の保護材１３が貼着され、バンド１１の輪が縮められて支柱Ｐを締結する時に、支柱Ｐを傷付けないように保護する。
【００１４】
更に、図２に示すように、上記バンド１１の他端側１１Ｂにあけた通孔１１Ｃに、ボルト２５の頭部２５Ａに接続する軸部２５Ｂが嵌合する。上記ボルト２５の頭部２５Ａ近くの軸部２５Ｂに、ボルトの緩み回転によりバンド１１の他端側１１Ｂを押し開く拡開作用部３０を固設している。この拡開作用部３０は、ボルト２５の頭部２５Ａとで、バンド１１の他端側１１Ｂを狭い隙間Ｘで挾む鍔体３１が軸部２５Ｂに溶着又は固設している。
【００１５】
これにより、図５に示すように、上記ボルト２５の緩め回転により、バンド１１の両端１１Ａ，１１Ｂ間が離れてゆく。このとき、雌ネジ２３に螺合するボルト先端と、拡開作用部３０の鍔体３１とがボルト２５の頭部２５Ａ側の端側１１Ｂを拡開作用し、バンド１１の輪が拡開される。また、図６に示すように、上記ボルト２５の締付け回転により、バンド１１の両端１１Ａ，１１Ｂ間が接近してゆく。この縮小作用は、ボルト２５の頭部２５Ａと雌ネジ２３との接近による縮小作用で、バンド１１の輪が縮小され、バンド１１が支柱を締付ける。
【００１６】
また、図１，３に示すように、上記支持体１の上面における両端にあけた係合孔３，５は、脚付立看板４０の脚部４０Ａ，４０Ｂと同形で、これを嵌める矩形孔に加工されている。上記支持体１は、図４に示すように、上面１Ｄ，下面１Ａ，左右側面１Ｂ，１Ｃからなる四角断面を形成する角棒材であり、支持体１の片側の係合孔３には、側面１Ｂの雌ネジ３３に螺合するクランプボルト３５を備えている。上記クランプボルト３５の先端には、押板３７を付設ており、脚付立看板４０の脚部４０Ａをへこませることなく確実に押圧支持する構成になっている。
【００１７】
本実施形態の固定器１００は、上記構成からなり、図３に示すように、既設の道路ＲのガードレールＧＬの支柱Ｐに対し、バンド１１の嵌合操作と締付手段２０であるボルト２５の締め付け操作により設置される。即ち、ガードレールＧＬの支柱Ｐへのバンド１１の締め付けは、先ず、図５に示すように、支柱Ｐよりも大きな輪にしたバンド１１を支柱に嵌める。続いて、図６に示すように、バンド１１の他端側１１Ｂに嵌合するボルト２５をバンドの片側１１Ａに固設した雌ネジ２３に螺進させる。このボルト２５の締付けには、ナットを回すよりも３倍強い強力な締付けトルクを必要とする。
【００１８】
つまり、ボルトも雌ネジのナットも、回転可能として両方で締付ける公知方法だと、バンドの両端側が均等に撓んでボルトとナットとの締付力が均等に作用し、締め付け力は小さなものになる。これに対して、本発明のように、雌ネジのナットを片端側に固設した場合は、バンドと雌ねじが一体で変形できないので、ボルトによる締付時にボルトと雌ネジがこじられるようになり摩擦抵抗が増大する。したがって、ボルトを締付ける締付トルクは、バンドの他端側の大きな撓み抵抗により、ナットを回すよりも３倍以上の強力な締付トルクを必要とする。従って、ボルトを緩めるときも大きな回転トルクを必要とし、振動等の外力では容易に緩まない。つまり、ボルト２５も雌ネジ２３のナットも、回転可能として両方で締付ける公知方法だと、バンド１１の両端側１１Ａ，１１Ｂが均等に撓んでボルト２５とナットとの締付力が均等に作用し、締め付け力は小さなものになる。これに対して、本発明のように、雌ネジ２３のナットを片端側１１Ａに固設した場合は、バンド１１と雌ねじ２３が一体で変形できないので、ボルト２５による締付時にボルト２５と雌ネジ２３がこじられるようになり摩擦抵抗が増大する。このため、ボルト２５を締付ける締付トルクは、バンド１１の他端側１１Ｂの大きな撓み抵抗により、従来のようなナットを回す方法よりも３倍以上の強力な締付トルクを必要とする。従って、ボルト２５を緩めるときも大きな回転トルクを必要とし、振動等の外力では容易に緩まない構造となる。
【００１９】
上記固定器１００をガードレールＧＬの支柱Ｐに締付けた後、図３に示すように、脚付立看板４０の４本の脚部４０Ａ，４０Ｂを閉じて合わせ、２本となった各脚部４０Ａ，４０Ｂを支持体１の上面両端にあけた係合孔３，５に挿入して支持する。このとき、支持体１の片側の係合孔３は、側面１Ｂに螺合するクランプボルト３５を締め付け、脚付立看板４０の脚部４０Ａをへこませることなく確実に押圧支持する。
【００２０】
尚、上記工事用脚付立看板４０は、図３，７に示すように、その表面に各種の表示や図柄が印刷され、上部をヒンジＨ，Ｈで折り曲げた枠体の４本の脚部４０Ａ，４０Ｂを閉じて合わせ、２本となった各脚部４０Ａ，４０Ｂを水平支持体１の係合孔３，５に挿入して支持するものである。
【００２１】
以上のようにして、脚付立看板４０は固定器１００へ取付けられる。この取付けにより、脚付立看板４０は振動や風等の外力で緩まず、確実に支持される。
【００２２】
次に、上記固定器１００の支柱Ｐからの取外しは、上記取付けの手順と逆に操作することで簡潔に行われる。即ち、支柱に締付けられた固定器に対し、緩め作業中に、図５に示すように、ボルト２５の緩み回転により、バンド１１の両端１１Ａ，１１Ｂを押し開く拡開作用部３０がバンド１１を支柱Ｐの外周よりも大きな輪に押し拡げる。これにより、固定器１００の支柱からの取外し作業が円滑且つ、容易になる。再び、支柱への取付け作業も、既に支柱の外周よりも大きな輪に押し拡げられているバンドを簡便に支柱に嵌められ、バンドの取付けを簡潔にする。
【００２３】
上記実施形態の工事用脚付立看板の固定器１００によると、以下の効果を奏する。上記実施形態の固定器１００は、ガードレールの支柱へのバンドの締付けは、ボルト２５を回して行い、ボルトとナットの両方を回すよりも３倍強い強力な締付けトルクで行われる。これにより、ボルト２５は３倍以上の強力な緩めトルクを必要とし、振動等の外力では容易に緩まない効果がある。これにより、道路の振動や風等の外力により固定器１００が緩まず、安定して工事用脚付立看板４０を支持できる効果がある。
【００２４】
また、支柱に締付けられた固定器に対し、緩め作業中に、ボルトの緩み回転により、バンドの他端側を押し開く拡開作用部がバンドを支柱の外周よりも大きな輪に押し拡げ、固定器の支柱からの取外し作業が円滑且つ、容易になる。再び、支柱への取付け作業も、既に支柱の外周よりも大きな輪に押し拡げられているバンドを簡便に支柱に嵌められ、バンドの取付けを簡潔にする効果がある。
【００２５】
本発明は、上記実施形態に限定されず、その要旨内での設計変更が自由に行なわれること勿論である。上記実施形態において、雌ネジ２３はナットを溶着させたが、直接雌ネジ２３を片端部１１Ａに螺設させても良い。
【００２６】
【発明の効果】
以上詳述したように、本発明の請求項１によると、上記締付手段を、バンドの片側に固設した雌ネジと、バンドの他端側に嵌合し且つ、雌ネジに螺合するボルトとからなリ、上記ボルトの締付け回転によりバンドが支柱を締結するようにしたから、ガードレールの支柱へのバンドの締付けは、ボルトを回し、ボルトとナットの両方を回すよりも３倍強い強力な締付けトルクで行い。これにより、ボルトは３倍以上の強力な緩めトルクを必要とし、振動等の外力では容易に緩まない効果がある。従って、道路の振動や風等の外力により固定器が緩まず、安定して工事用脚付立看板を支持できる効果がある。
【００２７】
また、上記バンドの他端側に嵌合するボルトの頭部側に、ボルトの緩み回転によりバンドの他端側を押し開く拡開作用部を固設したから、支柱に締付けられた固定器に対し、緩め作業中に、ボルトの緩み回転により、バンドの他端側を押し開く拡開作用部がバンドを支柱の外周よりも大きな輪に押し拡げ、固定器の支柱からの取外し作業を円滑且つ、容易にする。再び、支柱への取付け作業も、既に支柱の外周よりも大きな輪に押し拡げられているバンドを簡便に支柱に嵌められ、バンドの取付けを簡潔にする効果が発揮される。
【図面の簡単な説明】
【図１】  本発明の実施形態を示す図で、工事用脚付立看板の固定器の斜視図である。
【図２】  本発明の実施形態を示す図で、バンド部分の拡大平面図である。
【図３】  本発明の実施形態を示し、支柱への固定器の取付けと工事用脚付立看板の斜視図である。
【図４】  本発明の実施形態を示す図で、工事用脚付立看板の締付け状態の断面図である。
【図５】  本発明の実施形態を示す図で、バンド部分の拡大平面図である。
【図６】  本発明の実施形態を示す図で、バンド部分の拡大平面図である。
【図７】  本発明の実施形態を示す図で、工事用脚付立看板の斜視図である。
【符号の説明】
ＧＬガードレール
Ｐ支柱
１支持体
３，５係合孔
１１バンド
１１Ａ，１１Ｂ片端部
１１Ｃ通孔
１３保護材
２０締付手段
２３雌ネジ
２５ボルト
２５Ａ頭部
３０拡開作用部
３１鍔体
３５クランプボルト
３７押板
４０工事用脚付立看板
４０Ａ，４０Ｂ脚部
１００固定器
【図１】
0003664544.tif 000002
【図２】
0003664544.tif 000003
【図３】
0003664544.tif 000004
【図４】
0003664544.tif 000005
【図５】
0003664544.tif 000006
【図６】
0003664544.tif 000007
【図７】
0003664544.tif 000008